(57)【要約】【課題】広範囲の指圧が可能で、きわめて安全で便利な指圧器を提供する。【解決手段】弾性材料をアーチ状に折り曲げたアーチ部１と、このアーチ部１の開放側端に設けた一対の握り部２，２とを有する弾性アーム部材３と、アーチ部１の内側に相対向状に取り付けた一対の指圧部材４，４とを備える。指圧部材４はアーチ部１に対し軸部まわりに回動可能に且つ任意回動角に固定可能に取り付けている。【選択図】図１
2008036184.tif 000002
【特許請求の範囲】
【請求項１】
弾性材料をアーチ状に形成したアーチ部と、このアーチ部の開放両側端に延設した一対の握り部とを有する弾性アーム部材と、前記アーチ部の内側に相対向状に取り付けた一対の指圧部材とを備えており、前記一対の各指圧部材は前記アーチ部に対し軸部まわりに回動可能に且つ任意回動角に固定可能に取り付けていることを特徴とする、指圧器。
【請求項２】
前記一対の各指圧部材は前記アーチ部に貫通した軸孔に対し軸心まわりに回動可能に挿通した軸部と、この軸部の軸心方向内方側端に軸心方向とは異なる方向に分岐状に設けた一個もしくは２個以上の指圧子とを有し、前記アーチ部と前記軸部との間に前記軸部を任意回動角位置に停止保持する固定手段を設けている、請求項１記載の指圧器。
【請求項３】
前記固定手段は、前記軸部の指圧子側端に、数個のキー状の突起を設けたスプライン軸部を同軸状に形成し、前記軸孔には該突起が嵌まる溝を設けて、前記指圧部材を軸心方向に沿って移動できるようにしかつ、前記軸部と軸孔間に常に前記軸部を軸心方向外方へ移動付勢して前記スプライン軸部の前記指圧子との連設部に設けた鍔部を前記軸孔の内側開口端に当接させるばね部材を介在している、請求項２記載の指圧器。
【請求項４】
前記指圧子は弾性体で構成している、請求項１ないし３のいずれか１項に記載の指圧器。
【発明の詳細な説明】
【技術分野】
【０００１】
本発明は、手軽に頚部や肩部、下肢等を指圧できる便利な指圧器に関する。
【背景技術】
【０００２】
この種の指圧器として、例えば、図１３に示すように、先端部寄りを外側に向けて湾曲せしめた左右の棒体２０，２１の先端部同士をボルト２２で軸着して回動自在に継ぎ合わせし、この左右の棒体２０，２１の湾曲部の内側に一対の指圧子（押圧部材）２３，２３を相対向状に取り付けたものがある（例えば、特許文献１参照。）。これによれば、左右の棒体２０，２１を両手に持ってボルト２２回りに開閉操作することにより指圧子２３で頚部や肩部のツボを簡単に指圧することができる。
【０００３】
【特許文献１】実開平６−３１７３７号公報
【発明の開示】
【発明が解決しようとする課題】
【０００４】
しかしながら、上記指圧器では、棒体２０，２１の湾曲部の内側に指圧子２３が一定の向きに固定されているので、指圧可能な箇所が限定されるという不利がある。また、左右の棒体２０，２１の先端部同士はボルト２２で回動自在に継ぎ合わせる構造であるため、頚部の指圧時にその棒体２０，２１の先端部同士間で頭髪の一部を挟んだり、引っ張ったりするおそれがあり、またボルト２２を用いるため組み立て工数並びに部材点数の増大を招く。
【０００５】
本発明は、このような問題を解決するためになされたもので、広範囲の指圧が可能で、且つきわめて安全に使用できる便利な指圧器を提供することを目的とする。
【課題を解決するための手段】
【０００６】
本発明は、請求項１に記載のように、弾性材料をアーチ状に形成したアーチ部と、このアーチ部の開放両側端に延設した一対の握り部とを有する弾性アーム部材と、前記アーチ部の内側に相対向状に取り付けた一対の指圧部材とを備えており、前記一対の各指圧部材は前記アーチ部に対し軸部まわりに回動可能に且つ任意回動角に固定可能に取り付けていることに特徴を有するものである。
茲に、本明細書において「アーチ状」は、図１に示すような馬蹄形アーチ、半円アーチはもとより、それ以外に図１１に示すようなフラット・アーチ、図１２に示すような多葉形アーチ等をも含む意味に用いている。
このように構成された指圧器によれば、指圧部材を軸部まわりに回動させることにより男女、個人差による頚部太さや大腿部太さ等の大小の違い、また人体の各指圧部位に対応すべく指圧部材個々の向きや指圧部材相互間の間隔を変更調整できるため、指圧可能な範囲を拡大できる。
アーム部材の握り部を両手で持ってアーチ部を繰り返し開閉操作することにより指圧部材で頚部や肩部等のツボを指圧することができるが、そのアーチ部は弾性材料をアーチ状に折り曲げて継ぎ目なく一体につながった形に形成されているので、前述した従来の棒体の先端部同士のごとき継ぎ目なるものがなく、したがって頚部の指圧時に当該アーチ部で頭髪を挟んだり、引っ張ったりするおそれはなく安全に指圧することができる。
【０００７】
請求項１記載の指圧器は、請求項２に記載のように、前記一対の各指圧部材は前記アーチ部に貫通した軸孔に対し軸心まわりに回動可能に挿通した軸部と、この軸部の軸心方向内方側端に軸心方向とは異なる方向に分岐状に設けた一個もしくは２個以上の指圧子とを有し、前記アーチ部と前記軸部との間に前記軸部を任意回動角位置に停止保持する固定手段を設けている。これによれば、軸部を軸心まわりに回動させることにより指圧子個々の向きや指圧子相互間の間隔を、男女、個人差による頚部太さ等の大小の違いや人体の各指圧部位に対応すべく種々の指圧子向きや指圧子相互間隔に変更調整できるため、指圧可能な範囲を拡大できる。
【０００８】
請求項２記載の指圧器は、請求項３に記載のように、前記固定手段は、前記軸部の指圧子側端に、数個のキー状の突起を設けたスプライン軸部を同軸状に形成し、前記軸孔には該突起が嵌まる溝を設けて、前記指圧部材を軸心方向に沿って移動できるようにしかつ、前記軸部と軸孔間に常に前記軸部を軸心方向外方へ移動付勢して前記スプライン軸部の前記指圧子との連設部に設けた鍔部を前記軸孔の内側開口端に当接させるばね部材を介在している。
これによれば、指先を軸部の軸心方向外方端に当てて軸部を軸心方向内方へ押すか、または指圧子を手に持って軸部を軸心方向内方へ引くことによりスプライン軸部を軸孔の溝からはみ出させ、引き続いて軸部を軸心まわりに回動させると所望の指圧子向きや指圧子相互間隔の指圧部材を得ることができる。回動後、軸部への押圧力又は引張力を解除すると、軸部はばね部材により引き戻されて所望回動角の位置に保持固定される。
【０００９】
請求項１ないし３のいずれか１項に記載の指圧器は、請求項４に記載のように、前記指圧子は弾性体で構成することができる。これによれば、人体への指圧子の当たりを和らげ、また滑りにくくなって指圧効率を高める。
【発明の効果】
【００１０】
本発明によれば、弾性変形するアーチ部の内側に相対向状に取り付けた一対の指圧部材はアーチ部に対し軸部まわりに回動可能に且つ任意回動角に固定可能に構成してあるので、広範囲の指圧が可能で、しかもきわめて安全に使用できる。
【発明を実施するための最良の形態】
【００１１】
以下、本発明に係る指圧器の好適な実施例を図面に基づき説明する。
【００１２】
図１〜図５に示すように、本発明に係る指圧器は、プラスチック材、ばね材料、あるいはばね材の表面にプラスチック材を被覆した複合弾性材料等の棒状の弾性材料をアーチ状に折り曲げてアーチ部１を形成するとともに、このアーチ部１の開放両側端に一対の握り部２，２を延設して全体が門形状に形成されたアーム部材３と、アーチ部１の内側に相対向状に取り付けた一対の指圧部材４，４とを備える。アーチ部１は繰り返し曲げ荷重に耐えるものとなし、アーチ部１の中央部には小さい曲率半径の円弧部１０を設けて曲げ応力の集中を減じている。なお、アーチ部１は、図１に示すような馬蹄形アーチや、半円アーチ以外にも、図１１に示すようなフラット・アーチや、図１２に示すような多葉形アーチ等にも形成することができる。
【００１３】
図６に示すように、指圧部材４は、軸部５を有し、この軸部５の軸心方向内方側端に一個もしくは２個以上の指圧子６を軸心方向とは異なる方向に分岐状に設けている。指圧子６それ自体は人体への当りを和らげると同時に滑りにくくするため、ゴムや軟質合成樹脂等の適度の弾力を有する弾性体で構成している。また指圧子６は肌を過度に刺激しないように人体のツボを押圧可能な大きさの半球状、球状などに形成している。軸部５の軸心方向内方側端の指圧子６との連設部の外周には鍔部７を張り出し形成している。
この指圧部材４は軸部５をアーチ部１のボス８に貫通状に設けた軸孔９に対し軸心まわりに回動可能に且つ任意回動角に固定可能に挿通することによりアーチ部１の内側に取り付けられる。
【００１４】
図６に示すように、ボス８の軸孔９と軸部５との間には軸部５を任意回動角位置に停止保持する固定手段を設ける。この固定手段は、軸部５の軸心方向内方側端の鍔部７より手前側に、数個のキー状の突起１１を設けたスプライン軸部５１を同軸状に一体に形成し、軸孔９には該キー状の突起１１が嵌まる溝１２を設けて、軸部５を軸心方向に沿って移動できるようにする。そして、軸部５の軸心方向外方端側の外周と軸孔９の内周との間には常に軸部５を軸心方向外方へ移動付勢して鍔部７をボス８の内方側開口端８ａに当接させるコイルばね等によるばね部材１３を介在する。
軸部５の軸心方向外端面には押圧部１４を設け、押圧部１４は、押圧前の常態時にはボス８の外方端面８ｂと略面一になるようにしている。この押圧部１４を指先でばね部材１３の付勢力に抗して軸心方向内方へ押圧すると、図８に示すように、スプライン軸部５１の突起１１が溝１２から軸心方向内方へはみ出し、このはみ出しに伴い指圧子６を手でつかんで軸部５を軸心まわりに任意回動角に回動させることができる。任意回動角位置で指圧子６から手を離すと、ばね部材１３の付勢力で軸部５が軸心方向外方へ引き戻され、突起１１が溝１２に嵌まってその回動角位置に回り止め状態に固定される。
なお、スプライン軸部５１の突起１１を溝１２から軸心方向内方へはみ出す方法としては、上記のように軸部５の軸心方向外端面の押圧部１４を押す以外に、指圧子６を手に持って軸部５をばね部材１３の付勢力に抗して軸心方向内方へ引くことによってもスプライン軸部５１の突起１１を溝１２から軸心方向内方へはみ出させることができる。
【００１５】
上記のように構成された指圧器によれば、アーム部材３の握り部２，２を両手で持ってアーチ部１を開閉操作することにより指圧子６で頚部（図１中、Ｎ）や肩部、下肢等のツボを指圧することができる。
【００１６】
この場合、前述のように一旦、指圧部材４の軸部５の押圧部１４を軸心方向内方へ押圧して突起１１を溝１２からはみ出させ、しかる後該軸部５まわりに回動させることにより、男女、個人差による頚部太さや大腿部太さの大小の違い、各部の多数箇所のツボ部位にも対応できように、指圧子６の向きや指圧子６，６相互間の間隔を自在に変更調整でき、この調整により広範囲の指圧が可能である。たとえば、図９は、指圧部材４を図１の状態から９０度回動させた状態を示し、図１０は指圧部材４を図１の状態から１８０度回動させた状態を示している。
【００１７】
アーム部材３の開閉操作を繰り返して行うことにより、指圧子６による適当な押圧力を繰り返し加えることができ、また開閉操作時の握り部２の把握力を調整することにより、強弱を加減した指圧を繰り返し行うことができ、効果的な指圧を行うことができる。
また、アーム部材３のアーチ部１は弾性材料をアーチ状に折り曲げて継ぎ目なく一体につながった形に形成されているので、前述した従来の棒体の先端部同士のごとき継ぎ目なるものがなく、したがって頚部の指圧時に当該アーチ部で頭髪を挟んだり、引っ張ったりするおそれはなく安全に指圧することができる。
【図面の簡単な説明】
【００１８】
【図１】本発明の一実施例を示す指圧器の平面図である。
【図２】図１の指圧器の正面図である。
【図３】図１の指圧器の側面図である。
【図４】図１の指圧器の底面図である。
【図５】図２におけるＡ−Ａ線断面図である。
【図６】図３におけるＢ−Ｂ線断面図である。
【図７】図６におけるＣ−Ｃ線断面図である。
【図８】図１の指圧器の指圧部材の押し出し状態を図６に相応して示す断面図である。
【図９】図１の指圧器の指圧部材を９０度回動させた状態を示す正面図である。
【図１０】図１の指圧器の指圧部材を１８０度回動させた状態を示す正面図である。
【図１１】図１の指圧器の弾性アーム部材のアーチ部の他の変形例を示す正面図である。
【図１２】図１の指圧器の弾性アーム部材のアーチ部の更に他の変形例を示す正面図である。
【図１３】従来例の指圧器を示す正面図である。
【符号の説明】
【００１９】
１  アーチ部
２  握り部
６  アーム部材
４  指圧部材
５  軸部
６  指圧子
７  鍔部
９  軸孔
１１  突起
１２  溝
１３  ばね部材
１４  押圧部
【図１】
2008036184.tif 000003
【図２】
2008036184.tif 000004
【図３】
2008036184.tif 000005
【図４】
2008036184.tif 000006
【図５】
2008036184.tif 000007
【図６】
2008036184.tif 000008
【図７】
2008036184.tif 000009
【図８】
2008036184.tif 000010
【図９】
2008036184.tif 000011
【図１０】
2008036184.tif 000012
【図１１】
2008036184.tif 000013
【図１２】
2008036184.tif 000014
【図１３】
2008036184.tif 000015